(57)【要約】      （修正有）【課題】保護ヘルメット上に取り外し可能に取付けられるように意図した双眼保護装置を提供する。【解決手段】双眼保護装置１、２、３は、透明材で製作され少なくとも使用者の両眼を覆うように設計されたバイザー１を備える。前記バイザー１は２本の伸縮アーム２の一端２１に２つの軸支部４によって装着される。これらの伸縮アーム２は、保護ヘルメット内に取り外し可能に取り付けられるように設計された手段３１、３２、３３を有するフレーム３に、他端が軸支部５によって支持される。【選択図】図１
0003187967.tif 000002
【実用新案登録請求の範囲】
【請求項１】
双眼保護器具（１，２、３）であって、
保護ヘルメット（６）上に取り外し可能に装着されることを意図した双眼保護器具において、透明材で製作され少なくとも使用者の両眼を覆うように設計されたバイザー（１）を備え、
前記バイザー（１）は２本の伸縮アーム（２）の一端（２１）に２つの軸支部（４）によって装着され、前記伸縮アーム（２）は保護ヘルメット（６）内に取り外し可能に取り付けられるように設計された手段（３１、３２、３３）が設けられたフレーム（３）上で、伸縮アーム（２）の他の端に軸支部（５）を介して回動可能に支持されることを特徴とする、双眼保護器具。
【請求項２】
少なくとも１つの伸縮アーム（２）は、前記バイザー（１）の側面が取り外し可能に取り付けられている前記伸縮アームの一端付近に位置する突出部（２３１）を有し、前記突出部（２３１）が、前記伸縮アーム（２）の一端を含む平面を有し、また下方に延出し前記使用者が両伸縮アーム（２）の角度位置を前記フレーム（３）に相対的に、また前記使用者の要求に従ってその長さを手動で調節することができる構造を特徴とする、請求項１に記載の器具。
【請求項３】
前記バイザー（１）には光学用レンズが設けられていることを特徴とする、請求項１または２に記載の器具。
【請求項４】
前記バイザー（１）および前記伸縮アーム（２）は、前記バイザー（１）の回動が前記伸縮アーム（２）に所定の角度で相対的におこなわれることを制限する手段（１２，２３４）を備えることを特徴とする、請求項１から３のひとつに記載の器具。
【請求項５】
前記フレーム（３）は、前記伸縮アーム（２）の回動が前記フレーム（３）に所定の角度で相対的に行なわれることを制限する手段（３４）を備えることを特徴とする、請求項１から４のひとつに記載の器具。
【請求項６】
保護組立体であって、請求項１から５のひとつに記載の双眼保護器具（１、２、３）と、前記保護ヘルメット（６）が前記フレーム（３）の対応する手段と協働し、前記双眼保護器具の取り外し可能な付属品を前記保護ヘルメット（６）内に移動させるように設計された手段とで構成することを特徴とする、保護組立体。
【考案の詳細な説明】
【技術分野】
【０００１】
本考案は、透明材で製作され少なくとも使用者の両眼を覆うように設計されたバイザーで構成する、保護ヘルメット上に取り外し可能に装着されることを意図した双眼保護器具に関する。本考案はまた、当該器具に備えられた保護ヘルメットに関する。
【背景技術】
【０００２】
長年、作業者またはある特定のスポーツマンまたはさらにオートバイの運転者を保護するために使用されてきた保護ヘルメットは、この保護ヘルメットと一体になった枢着バイザーで構成され、基本的に使用者の両眼または顔をも保護する目的でバイザーを低くすることができる。建築現場では、作業者は大抵の場合、バイザーのまったくないヘルメットを着用し、状況によって眼鏡を掛けて自らの両眼を保護している。
【考案の概要】
【考案が解決しようとする課題】
【０００３】
バイザーを備えるヘルメットは、必ずしも使用者の顔面の形態に充分適応するとは限らず、使用者が眼鏡を着用している場合には、もっと困難にさえなる。建築現場で、光学用レンズを備えている保護眼鏡または光学用レンズを備えていない保護眼鏡のいずれかとヘルメットとを着用するという事実は、誰かが眼鏡を紛失または忘れる可能性があるため、個人の姿勢の問題になる。
本考案は、これらの欠点を克服する器具を提案することを目的とする。
【課題を解決するための手段】
【０００４】
本考案の双眼保護器具は、透明材で製作され少なくとも使用者の両眼を覆うように設計されたバイザーで構成する、保護ヘルメット上に取り外し可能に装着されることを意図し、本双眼保護器具は、前記バイザーが２本の伸縮アームの一端に２つの軸支部によって装着される事実および、前記伸縮アームが保護ヘルメット内に取り外し可能に取り付けられるように設計された手段により備えられた上で、他の端に装着される構造を特徴とする。
【０００５】
本考案による器具の第一の利点は、取り外し可能かつ調節可能であり、従って、外形および使用者の視野に適応する光学用レンズで構成することができる事実の双方に関して、使用者の顔面の形態に適応されることである。別の利点として、バイザーを伸縮アームに相対的に回動可能に軸支させることによりバイザーを特定の方向に向ける可能性、および 使用者の顔面の形態に更に適応させるために伸縮アームの長さを変更できることである。最終的には、相対的に回動可能に伸縮アームを軸支することによって、顔面の形態に対して適応の度合いを追加することができる。伸縮アームを短縮すること、およびバイザーを特定の角度に向けることにより、ヘルメットを着用していない場合の保護または使用者が一瞬目をきれいにしたい場合に、ヘルメットの内部へ双眼機器を折りたたむことができる。
【０００６】
好ましい実施態様によれば、伸縮アームの枢着を相対的におこなうバイザーのみならずフレームの枢着を相対的におこなう伸縮アームを制限するための手段が提供される。
【０００７】
本考案はまた、保護ヘルメットおよびヘルメットが対応するフレームの手段と協働し、双眼保護器具の取り外し可能な付属品をヘルメット内に移動させるように設計された手段で構成する構造を特徴とする本考案の双眼保護器具から構成される保護組立体に関する。
【図面の簡単な説明】
【０００８】
本考案は添付の図面によって、更に詳細に説明される。
【０００９】
【図１】本考案による双眼保護器具の斜視図である。
【図２】図１の双眼保護器具を組み込んだ保護ヘルメットの斜視図である。
【考案を実施するための形態】
【００１０】
図１に示す双眼保護器具は、透明材、例えば、使用者の視覚に適応された光学用レンズを組み入れることができる、ガラスまたはプラスチック材で製造されたバイザー１で構成する。このバイザーの形状は、使用者の鼻の上に乗せて少なくともその両眼の保護に適合している。バイザー１の２つの側端面で、軸支部４を備える２本の伸縮アーム２の端２１に回動可能に装着される。伸縮アーム２は、他方の端が軸支部５を備えたフレーム３に回動可能に装着される。各伸縮アーム２は、エレメント２２、２３で構成される。第１のエレメント２３は、内部で第２のエレメントが摺動する通路を有する。第２のエレメント２２は、第１のエレメント２３の通路内の対応する溝と協働する縦リブ２２１を有し、２つのエレメント２２、２３が摺動中、互いに指示を出す。少なくとも１つの伸縮アーム２の第１のエレメント２３には、突出部２３１が設けられ、使用者が２本の伸縮アーム２の角度位置をフレーム３に対して相対的に手動で調節でき、使用者の要求に従ってその長さを調節できる。
【００１１】
フレーム３は半円形を有し、傾斜を有する２つのリブ３３が自由端に設けられた２つのタブ３１，３２を備える。これらのタブ３１，３２は、２つの対応する凹部に設けられた、ヘルメット内の器具の取り外し可能な付属品に連結される。タブの数、形状およびリブの位置は、ヘルメットの製造業者、寸法、使用材料などによって変更してもよい。手による他の取り外し可能な組立手段を検討することができる。
【００１２】
２本の伸縮アーム２がフレーム３と相対的に下方への回動を行なうことを制限するために、２つのラグ３４が、伸縮アーム２が当接するフレームの端に設けられる。伸縮アーム２がバイザー１と相対的に回動を行なうことを制限するために、バイザー１には、円弧形状の２つの開口が設けられ、ラグ２３４が伸縮アーム２のエレメント２３の各内側表面に設けられる。ラグ２３４は、バイザー１の回動角度を制限することのできる係合孔１２に係合される。
伸縮アーム２の第２のエレメント２２では、伸縮アーム２の第１のエレメント２３の開口２３２に係合された歯部２２２をも備え、伸縮アーム２の拡張を制限する。
図２に示すように、第２のエレメント２２の内側表面は、伸縮アーム２の第１のエレメント２３の一連の円形開口２３３に係合されたラグ２２３を備える。伸縮アーム２がその長さ修正の目的で作動する場合、ラグ２２３は一つの開口２３３から他へ強制的に進む。このようにして、使用者が自分に適している伸縮アーム２の長さを求めた場合、ラグ２２３は選択した一つの開口２３３内にそのままの状態で係合し、伸縮アームの長さが不測に変化することはない。
【００１３】
図２では、タブ３１、３２が設けられ、その内部に取り付けられ、これらのタブに関連する形状および寸法の２つの凹部に係合された双眼保護器具を備えたヘルメット６が図示されている。図示してあるヘルメットは保護作業ヘルメットであるが、その他のあらゆるヘルメットも使用できる。
【図１】
0003187967.tif 000003
【図２】
0003187967.tif 000004
【手続補正書】
【提出日】平成25年10月17日(2013.10.17)
【手続補正１】
【補正対象書類名】実用新案登録請求の範囲
【補正対象項目名】全文
【補正方法】変更
【補正の内容】
【実用新案登録請求の範囲】
【請求項１】
保護ヘルメット（６）上に取り外し可能に装着されるフレーム（３）と、前記フレーム（３）に装着される伸縮アーム（２）と、前記伸縮アーム（２）に装着され、透明材で製作され少なくとも使用者の両眼を覆うように設計されたバイザー（１）とを備え、
前記バイザー（１）は２本の伸縮アーム（２）の一端（２１）に２つの軸支部（４）によって装着され、フレーム（３）は保護ヘルメット（６）内に取り外し可能に取り付けられるように設計された手段（３１、３２、３３）が設けられ、前記伸縮アーム（２）は前記フレーム（３）に伸縮アーム（２）の他の端に軸支部（５）を介して回動可能に支持されることを特徴とする、双眼保護器具。
【請求項２】
少なくとも１つの伸縮アーム（２）は、前記バイザー（１）の側面が取り外し可能に取り付けられている前記伸縮アームの一端付近に位置する突出部（２３１）を有し、前記突出部（２３１）が、前記伸縮アーム（２）の一端を含む平面を有し、また下方に延出し前記使用者が両伸縮アーム（２）の角度位置を前記フレーム（３）に相対的に、また前記使用者の要求に従ってその長さを手動で調節することができる構造を特徴とする、請求項１に記載の双眼保護器具。
【請求項３】
前記バイザー（１）には光学用レンズが設けられていることを特徴とする、請求項１または２に記載の双眼保護器具。
【請求項４】
前記バイザー（１）および前記伸縮アーム（２）は、前記バイザー（１）の回動が前記伸縮アーム（２）に所定の角度で相対的におこなわれることを制限する手段（１２，２３４）を備えることを特徴とする、請求項１から３のひとつに記載の双眼保護器具。
【請求項５】
前記フレーム（３）は、前記伸縮アーム（２）の回動が前記フレーム（３）に所定の角度で相対的に行なわれることを制限する手段（３４）を備えることを特徴とする、請求項１から４のひとつに記載の双眼保護器具。
【請求項６】
請求項１から５のひとつに記載の双眼保護器具と、前記保護ヘルメット（６）とを備え、前記フレーム（３）の前記取り外し可能に取り付けられるように設計された手段（３１、３２、３３）は、前記保護ヘルメット（６）の取り外し可能な付属品に連結されることを特徴とする、保護組立体。